(57)【要約】【課題】波長分割多重光信号のチャネル毎の光強度の測定精度が高い光チャネルモニタを提供する。【解決手段】本発明による光チャネルモニタ３０は、光分波器１と、モニタ２１〜２Ｘと、演算処理装置３２とを具備する。光分波器１は、波長多重光信号Ａ００をチャネル毎の光信号Ａ１１〜Ａ１Ｘに分波する。モニタ２１〜２Ｘは、チャネル毎の光信号の強度Ｂ１１〜Ｂ１Ｘを測定する。演算処理装置３２は、光分波器１における波長透過特性に基づいてモニタ２１〜２Ｘによって測定された強度Ｂ１１〜Ｂ１Ｘを補正して、分波前の光信号の強度Ｂ０１〜Ｂ０Ｘを算出する。【選択図】図１
2011249943.tif 000002
【特許請求の範囲】
【請求項１】
波長多重光信号をチャネル毎の光信号に分波する光分波器と、
前記チャネル毎の光信号の強度を測定するモニタと、
前記光分波器における波長透過特性に基づいて前記モニタによって測定された前記強度を補正して、分波前の光信号の強度を算出する演算処理装置と
を具備する
光チャネルモニタ。
【請求項２】
請求項１に記載の光チャネルモニタにおいて、
前記光分波器は、前記波長多重光信号を分波してｎチャネルの光信号を第ｎポートから出力し、
前記演算処理装置は、前記第ｎポートにおける波長λ１乃至λＸの光信号の透過率Ｃｎ１乃至ＣｎＸと、前記光分波器によって分波されて第１乃至第Ｘポートから出力され、前記モニタによって検出された光信号の強度Ｂ１１乃至Ｂ１Ｘとを用いて、分波前のｎチャネルの光信号の強度Ｂ０ｎを算出し、
前記強度Ｂ０ｎは、（１）式によって表される
【数１】
2011249943.tif 000007
光チャネルモニタ。
【請求項３】
請求項１又は２に記載の光チャネルモニタにおいて、
前記光分波器は、前記波長多重光信号を分波した１乃至Ｘチャネルの光信号を、対応する第１乃至第Ｘポートから出力し、
前記演算処理装置は、前記第１乃至第Ｘポートにおける波長λ１乃至λＸの光信号の透過率Ｃと、前記光分波器によって分波されて第１乃至第Ｘポートから出力され、前記モニタによって検出された光信号の強度Ｂ１１乃至Ｂ１Ｘとを用いて、分波前の１乃至Ｘチャネルの光信号の強度Ｂ０ｎ乃至Ｂ０Ｘを算出し、
前記透過率Ｃは、（２）式によって表され、前記強度Ｂ０ｎ乃至Ｂ０Ｘは、（３）式によって表される
【数２】
2011249943.tif 000008
【数３】
2011249943.tif 000009
光チャネルモニタ。
【請求項４】
請求項１乃至３のいずれか１項に記載の光チャネルモニタと、
前記光チャネルモニタによって算出された分波前の光信号の強度と、所望の光信号の強度との差分から算出された制御目標値に基づいて、前記波長多重光信号の強度を補正する制御部と
を具備する
波長分割多重伝送システム。
【請求項５】
光分波器が、波長多重光信号をチャネル毎の光信号に分波するステップと、
モニタが、前記チャネル毎の光信号の強度を測定するステップと、
演算処理装置が、前記光分波器における波長透過特性に基づいて前記モニタによって測定された前記強度を補正して、分波前の光信号の強度を算出するステップと
を具備する
光チャネルモニタ方法。
【請求項６】
請求項５に記載の光チャネルモニタ方法において、
前記分波するステップは、前記波長多重光信号を分波してｎチャネルの光信号を第ｎポートから出力するステップを備え、
前記算出するステップは、前記第ｎポートにおける波長λ１乃至λＸの光信号の透過率Ｃｎ１乃至ＣｎＸと、前記光分波器によって分波されて第１乃至第Ｘポートから出力され、前記モニタによって検出された光信号の強度Ｂ１１乃至Ｂ１Ｘとを用いて、分波前のｎチャネルの光信号の強度Ｂ０ｎを算出するステップを備え、
前記強度Ｂ０ｎは、（４）式によって表される
【数４】
2011249943.tif 000010
光チャネルモニタ方法。
【請求項７】
請求項５又は６に記載の光チャネルモニタ方法において、
前記分波するステップは、前記波長多重光信号を分波した１乃至Ｘチャネルの光信号を、対応する第１乃至第Ｘポートから出力するステップを備え、
前記算出するステップは、前記第１乃至第Ｘポートにおける波長λ１乃至λＸの光信号の透過率Ｃと、前記光分波器によって分波されて第１乃至第Ｘポートから出力され、前記モニタによって検出された光信号の強度Ｂ１１乃至Ｂ１Ｘとを用いて、分波前の１乃至Ｘチャネルの光信号の強度Ｂ０ｎ乃至Ｂ０Ｘを算出するステップを備え、
前記透過率Ｃは、（５）式によって表され、前記強度Ｂ０ｎ乃至Ｂ０Ｘは、（６）式によって表される
【数５】
2011249943.tif 000011
【数６】
2011249943.tif 000012
光チャネルモニタ方法。
【請求項８】
請求項５乃至７のいずれか１項に記載の光チャネルモニタ方法と、
制御部が、前記光チャネルモニタによって算出された分波前の光信号の強度と、所望の光信号の強度との差分から算出された制御目標値に基づいて、前記波長多重光信号の強度を補正するステップと
を具備する
波長分割多重伝送方法。
【発明の詳細な説明】
【技術分野】
【０００１】
本発明は、波長分割多重伝送システム、そのシステムで用いられる光チャネルモニタ及びモニタ方法に関する。
【背景技術】
【０００２】
波長（チャネル）の異なる複数の信号光を同一の光伝送路（例示：光ファイバ）内に多重化して伝送することにより大容量通信を実現する波長分割多重（ＷＤＭ：Ｗａｖｅｌｅｎｇｔｈ  Ｄｉｖｉｓｉｏｎ  Ｍｕｌｔｉｐｌｅｘｉｎｇ）伝送が知られている。ＷＤＭ伝送では、波長の異なる複数の光信号を波長多重光信号として１本の光ファイバによって伝送している。
【０００３】
近年、伝送容量の増大に伴う波長多重光信号の高密度化や伝送距離の長大化により、各チャネルの信号レベルの低下やノイズの混入が問題となっている。光信号の信号レベル（強度）が低下し、あるいはノイズ量が増大すると光信号対雑音比（ＯＳＮＲ：Ｏｐｔｉｃａｌ  Ｓｉｇｎａｌ  ｔｏ  Ｎｏｉｓｅ  Ｒａｔｉｏ）が悪化し伝送品質が低下してしまう。信号レベルの低下を防ぐために、波長多重光信号を増幅する光中継器が伝送路上に設けられるが、光信号の強度が高すぎると光ファイバ内の非線形効果により伝送品質の劣化が生じてしまう。
【０００４】
このため、光伝送システムでは、波長多重光信号における各チャネルの光信号レベルを光チャネルモニタによってモニタし、そのモニタ結果に応じて波長多重光信号における１チャネル当たりの光強度が伝送路上で一定となるように制御される。光チャネルモニタは、波長多重光信号を波長毎（チャネル毎）に分離する光分波器を備え、分離した光信号光の強度を測定することで、波長多重光信号に含まれる複数の光信号のそれぞれの光レベル（強度）を算出する。
【０００５】
光チャネルモニタは、例えば、特開２００３−２０４３０２（特許文献１参照）や特開２００１−４４９３８（特許文献２参照）に記載されている。特許文献１には、波長多重光信号の特性と応答特性データに基づいて当該波長多重光信号の補正量を決定するＷＤＭモニタが記載されている。又、特許文献２には、波長多重光信号における光信号の波長間隔（チャネル間隔）の半分の波長間隔を分波出力ポートの波長間隔とする波長多重信号数監視装置が記載されている。
【先行技術文献】
【特許文献】
【０００６】
【特許文献１】特開２００３−２０４３０２
【特許文献２】特開２００１−４４９３８
【発明の概要】
【発明が解決しようとする課題】
【０００７】
光チャネルモニタにおける光分波器は、波長多重光信号（Ａ００）を波長（チャネル）に応じた複数の光信号に分離する。例えば、波長多重光信号（Ａ００）が、１〜Ｘチャネルの光信号（Ａ０１〜Ａ０Ｘ）を多重化して生成されている場合、理想的な光分波器が分離した複数の光信号（Ａ１１〜Ａ１Ｘ）の波長は、分離前の光信号（Ａ０１〜Ａ０Ｘ）の波長と一致する。すなわち、理想的には、分離後の光信号（Ａ１１〜Ａ１Ｘ）を多重化した場合、分離前の波長多重光信号（００）に一致する信号が生成されることが期待される。しかし、実際の光分波器は波長透過特性があるため、各チャネルの光信号は他のチャネルによるクロストークを含む。このため、分離後の光信号（Ａ１１〜Ａ１Ｘ）のそれぞれは、それぞれに対応する波長（チャネル）と異なる他の波長の光信号を含むことになる。
【０００８】
例えば、分離前の光信号（Ａ１ｎ）と分離後の光信号（Ａ０ｎ）とは同一の波長の光信号のみ含むことが望ましいが、実際には、分離後の光信号（Ａ１ｎ）は光信号（Ａ０１〜Ａ０１−ｎ、Ａ０ｎ＋１〜Ａ０Ｘ）に対応する波長（チャネル）の光信号も同時に含む。
【０００９】
従来技術の光チャネルモニタは、このような波長透過特性に起因する他チャネルのクロストークがないものと仮定して光信号（Ａ１１〜Ａ１Ｘ）の強度を計測している。この値は実際の光レベルとは誤差が生じるため、波長分割多重伝送システムを正確に制御する妨げとなっていた。
【００１０】
従って、本発明の目的は、波長分割多重光信号のチャネル毎の光強度の測定精度が高い光チャネルモニタを提供することにある。
【００１１】
本発明の他の目的は、正確に情報を伝送することが可能な波長分割多重伝送システムを提供することにある。
【課題を解決するための手段】
【００１２】
上記の課題を解決するために、本発明は、以下に述べられる手段を採用する。その手段を構成する技術的事項の記述には、［特許請求の範囲］の記載と［発明を実施するための形態］の記載との対応関係を明らかにするために、［発明を実施するための形態］で使用される番号・符号が付加されている。ただし、付加された番号・符号は、［特許請求の範囲］に記載されている発明の技術的範囲を限定的に解釈するために用いてはならない。
【００１３】
本発明による光チャネルモニタ（３０）は、光分波器（１）と、モニタ（２１〜２Ｘ）と、演算処理装置（３２）とを具備する。光分波器（１）は、波長多重光信号（Ａ００）をチャネル毎の光信号（Ａ１１〜Ａ１Ｘ）に分波する。モニタ（２１〜２Ｘ）は、チャネル毎の光信号の強度（Ｂ１１〜Ｂ１Ｘ）を測定する。演算処理装置（３２）は、光分波器（１）における波長透過特性に基づいてモニタ（２１〜２Ｘ）によって測定された強度（Ｂ１１〜Ｂ１Ｘ）を補正して、分波前の光信号の強度（Ｂ０１〜Ｂ０Ｘ）を算出する。
【００１４】
本発明による波長分割多重伝送システムは、上述の光チャネルモニタ（３０）と、制御部（４）とを具備する。制御部（４）は、光チャネルモニタ（３）によって算出された分波前の光信号の強度（Ｂ０１〜Ｂ０Ｘ）と、所望の光信号の強度（Ｂ２１〜Ｂ１Ｘ）との差分から算出された制御目標値に基づいて、波長多重光信号（Ａ００）の強度を補正する。
【００１５】
本発明による光チャネルモニタ方法は、光分波器（１）が、波長多重光信号（Ａ００）をチャネル毎の光信号（Ａ１１〜Ａ１Ｘ）に分波するステップと、モニタ（２１〜２Ｘ）が、チャネル毎の光信号の強度（Ｂ１１〜Ｂ１Ｘ）を測定するステップと、演算処理装置（３２）が、光分波器（１）における波長透過特性に基づいてモニタ（２１〜２Ｘ）によって測定された強度（Ｂ１１〜Ｂ１Ｘ）を補正して、分波前の光信号の強度（Ｂ０１〜Ｂ０Ｘ）を算出するステップとを具備する。
【００１６】
本発明による波長分割多重伝送方法は、上述の光チャネルモニタ方法と、制御部（４）が、光チャネルモニタ（３０）によって算出された分波前の光信号の強度（Ｂ０１〜Ｂ０Ｘ）と、所望の光信号の強度（Ｂ２１〜Ｂ２Ｘ）との差分から算出された制御目標値に基づいて、波長多重光信号（Ａ００）の強度を補正するステップとを具備する。
【発明の効果】
【００１７】
以上のことから、本発明によれば、波長分割多重光信号におけるチャネル毎の光強度の測定精度を向上させることができる。
【００１８】
又、波長分割多重伝送システムにおける情報伝送能力を向上させることができる。
【図面の簡単な説明】
【００１９】
【図１】図１は、本発明による波長分割多重伝送システムの実施の形態における構成を示す図である。
【図２】図２は、本発明に係る波長分割多重信号の構成及び波長−強度特性の一例を示す図である。
【図３】図３は、本発明による光分離部のポートにおける波長透過特性の一例を示す図である。
【図４】図４は、本発明による光チャネルモニタにおいて分離された後の光信号の波長−強度特性の一例を示す図である。
【図５】図５は、本発明によって強度補正された後の波長分割多重信号の波長−強度特性の一例を示す図である。
【発明を実施するための形態】
【００２０】
以下、添付図面を参照しながら本発明の実施の形態を説明する。図面において同一、又は類似の参照符号は、同一、類似、又は等価な構成要素を示している。
【００２１】
（構成）
図１を参照して、本発明による波長分割多重伝送システムの構成の一例を説明する。波長分割多重伝送システムは、光伝送路１０、２０、光チャネルモニタ３０、制御部４、光分岐部５を具備する。
【００２２】
光伝送路１０、２０は、光ファイバケーブルに例示され、図示しない光波長合波回路によって波長分割多重化された波長多重光信号を伝送する。図示しないが、通常、光伝送路１０、２０上には、波長多重光信号を増幅する中継器（光アンプ）や、波長多重光信号から所定の波長の光信号をアド／ドロップするアドドロップ装置（ＯＡＤＭ：Ｏｐｔｉｃａｌ  Ａｄｄ  Ｄｒｏｐ  Ｍｕｌｔｉｐｌｅｘｉｎｇ）が設けられる。以下、波長多重光信号を多重光信号と称す。
【００２３】
本実施の形態では、波長λ１〜λＸの複数の光信号Ａ０１〜Ａ０Ｘを多重化して生成された多重光信号Ａ００が光伝送路１０に伝送される。すなわち、多重光信号Ａ００は、図２に示すように異なる波長λ１〜λＸの複数の光信号Ａ０１〜Ａ０Ｘを含む。ここで、光信号Ａ０１〜Ａ０Ｘのそれぞれの光レベル（強度）を強度Ｂ０１〜Ｂ０Ｘとする。以下では、波長λ１〜λＸに対応する信号又は当該波長をチャネルと称して区別する。例えば、光信号の光強度が波長特性を有する場合、中心波長に対応する信号又は当該波長をチャネルと称して区別する。
【００２４】
光分岐部５は、光フィルタ、光カプラ又は光スプリッタにより構成され、伝送路１０上を伝送する波長多重光信号Ａ００を分岐する。分岐された波長多重光信号Ａ００は、制御部４と光チャネルモニタ３０に入力される。
【００２５】
光チャネルモニタ３０は、光分離部１（光分波器）、モニタ２１〜２Ｘ、監視部３を備える。光分離部１は、ポリクロメータ方式分光器、アレイ導波路格子（ＡＷＧ：Ａｒｒａｙ  Ｗａｖｅｇｕｉｄｅ  Ｇｒａｔｉｎｇ）方式分光器、ファイバーグレーティング方式分光器、チューナブルフィルタ方式分光器等が好適に利用される。光分離部１は、光分岐部５によって分岐された多重光信号Ａ００をチャネル毎に分離し、各チャネルに応じたポート１１〜１Ｘから出力する。ここでは、波長λ１〜λＸに対応するチャネル毎に光信号Ａ１１〜Ａ１Ｘが分離され、ポート１１〜１Ｘから出力される。
【００２６】
モニタ２１〜２Ｘは、対応するポート１１〜１Ｘに接続され、チャネル毎の光信号Ａ１１〜Ａ１Ｘの光強度（光信号レベル、又は光パワーとも称す）を測定する。モニタ２１〜２Ｘは、フォトダイオード（ＰＤ：Ｐｈｏｔｏ  Ｄｉｏｄｅ）やアバランシェフォトダイオード（ＡＰＤ：Ａｖａｌａｎｃｈｅ  Ｐｈｏｔｏ  Ｄｉｏｄｅ）等が好適に利用され、光信号Ａ１１〜Ａ１Ｘの光強度Ｂ１１〜Ｂ１Ｘに応じた電圧の電気信号に変換する。モニタ２１〜２Ｘによって測定された光強度Ｂ１１〜Ｂ１Ｘは、電気信号として監視部３に入力される。
【００２７】
監視部３は、モニタ２１〜２Ｘによって測定された光強度Ｂ１１〜Ｂ１Ｘを収集、格納、演算する計算機である。詳細には、監視部３は、光強度Ｂ１１〜Ｂ１Ｘを示す情報を格納する記憶装置（メモリ３１）と、収集した光強度Ｂ１１〜Ｂ１Ｘに基づいて制御目標値を演算し、制御部４における光強度制御量を決定する演算処理装置３２とを備える。
【００２８】
メモリ３１には、チャネル毎の目標値として光強度Ｂ２１〜Ｂ２Ｘが予め設定されている。又、メモリ３１には、光分離部１におけるポート１１〜１Ｘのそれぞれのフィルタ特性（波長透過特性）が設定されている。演算処理装置３２は、ポート１１〜１Ｘのそれぞれのフィルタ特性（波長透過特性）を考慮して、測定された光強度Ｂ１１〜Ｂ１Ｘを補正し、分離前の光信号Ａ０１〜Ａ０Ｘの光強度Ｂ０１〜Ｂ０Ｘを算出する。演算処理装置３２は、算出した光強度Ｂ０１〜Ｂ０Ｘと、予め設定された光強度Ｂ２１〜Ｂ２Ｘとの差分を制御目標値として算出する。
【００２９】
制御部４は、光伝送路１０と光伝送路２０との間に設けられ、光伝送路１０を介して伝送された多重光信号Ａ００の光強度を補正し、多重光信号Ａ２０として光伝送路２０に出力する。制御部４は、ＥＤＦＡ（Ｅｒｂｉｕｍ  Ｄｏｐｅｄ  Ｆｉｂｅｒ  Ａｍｐｌｉｆｉｅｒ）、ＳＯＡ（Ｓｅｍｉｃｏｎｄｕｃｔｏｒ  Ｏｐｔｉｃａｌ  Ａｍｐｌｉｆｉｅｒ）に例示される光増幅器、液晶、ＭＥＭＳに例示される光減衰器、波長スイッチに例示される光分岐器等を備える。制御部４は、多重光信号Ａ００の増幅、減衰、分岐等を実施することで、監視部３によってチャネル毎に指定された制御目標値に応じて光信号Ａ０１〜Ａ０Ｘを増幅又は減衰する。
【００３０】
以上のような構成により、本発明による波長分割多重伝送システムでは、光分離部１における波長透過特性を考慮して、分離前の各チャネルの光信号の強度を算出し、当該強度に基づいて多重光信号Ａ００の強度を補正している。このため、精度の高い強度補正が実現される。
【００３１】
（光チャネルモニタ方法及び強度補正方法）
次に、図３〜図５を参照して、本発明による光チャネルモニタ方法と強度補正方法の詳細を説明する。
【００３２】
光分離部１においてポート１１〜１Ｘのそれぞれは、それぞれ固有の波長透過特性を有している。図３は、本発明による光分離部１のポート１ｎにおける波長透過特性の一例を示す図である。図３を参照して、ポート１ｎは、波長λｎの光信号Ａ０ｎに対する透過率Ｃｎｎが最も大きく、他の波長λ１〜λｎ−１、λｎ＋１〜λＸの光信号に対する透過率Ｃｎ１〜Ｃｎｎ−１、Ｃｎｎ＋１〜ＣｎＸが透過率Ｃｎｎよりも小さくなるような波長透過特性を有している。ただし、ポート１ｎにおいて波長λＸの光信号Ａ０Ｘに対する透過率をＣｎＸとする。
【００３３】
理想的には、モニタ２ｎは、光信号Ａ１ｎの光強度Ｂ１ｎとして、分離前の光信号Ａ０ｎの光強度Ｂ０ｎを検出する。しかし、上述のように光分離部１は、ポート毎（チャネル毎）に波長透過特性を有しているため、実際には分離前の光強度Ｂ０ｎとは異なる光強度Ｂ１ｎが検出される。例えば、図４に示すように、波長多重光信号Ａ００から分離されたｎチャネル（波長λｎ）の光信号Ａ１ｎは、主として波長λｎの光信号を含んでいるが、他の波長λ１〜λｎ−１、λｎ＋１〜λＸの光信号もそれぞれの透過率に応じた量だけ含むこととなる。図４を参照して、ポート１ｎにおいて波長λ１〜λＸの光信号に対する透過率をＣｎ１〜ＣｎＸとすると、分離後の光信号Ａ１ｎに含まれる波長λ１〜λＸの光信号の強度はＣｎ１＊Ｂ０１〜ＣｎＸ＊Ｂ０Ｘとなる。この場合、モニタ２ｎによって検出される光信号Ａ１ｎの強度Ｂ１ｎは、（１）式のように表される。
【数１】
2011249943.tif 000003
【００３４】
光分離部１によって分離された他の光信号Ａ１１〜Ａ１ｎ−１、Ａ１ｎ＋１〜Ａ１Ｘも同様である。このため、モニタ２１〜２Ｘによって検出される光信号Ａ１１〜Ａ１Ｘの強度Ｂ１１〜Ｂ１Ｘは、（２）式のように表される。
【数２】
2011249943.tif 000004
【００３５】
尚、（３）式で表される行列Ｃは、光分離部１における全チャネル（全ポート）に対する波長透過特性を示す。
【数３】
2011249943.tif 000005
【００３６】
演算処理装置３２は、（３）式で示される行列Ｃの逆行列Ｃ−１と、モニタ２１〜２Ｘにおいて検出した強度Ｂ１１〜Ｂ１Ｘを利用して、（４）式から、分離前の波長多重光信号Ａ００におけるチャネル毎の光強度（光信号Ａ０１〜０Ｘの光強度Ｂ０１〜Ｂ０Ｘ）を算出する。
【数４】
2011249943.tif 000006
【００３７】
演算処理装置３２は、算出した光強度Ｂ０１〜Ｂ０Ｘと目標値である光強度Ｂ２１〜Ｂ２Ｘとの差分に基づき、波長多重光信号Ａ００に対するチャネル毎の補正量として制御目標値を決定する。
【００３８】
制御部４は、監視部３によって計算された制御目標値に応じた補正量で多重光信号Ａ００の光強度をチャネル毎に補正する。例えば、制御部４は、図２に示す多重光信号Ａ００を補正して図５に示す多重光信号Ａ２０を生成し、光伝送路２０に出力する。ここでは、多重光信号Ａ００における各チャネル成分（光信号Ａ０１〜Ａ０Ｘ）の強度Ｂ０１〜Ｂ０Ｘが、図５に示す目標値（強度Ｂ２１〜Ｂ２Ｘ）に補正される。
【００３９】
波長分割多重伝送システムでは、光伝送特性を向上するため、多重光信号に含まれる複数の光信号のそれぞれの光レベルを正確に把握した上で、それぞれ最適な値に増幅、分離などの制御を行い、伝送することが必要となる。
【００４０】
そのため多重光信号を光分波器により波長ごとに分離し、分離された信号光の光レベルを測定することで、多重光信号に含まれる複数の光信号のそれぞれの光レベルを算出する。
【００４１】
理想的には、光分離部により多重された光信号Ａ００を光信号Ａ０１〜Ａ０Ｘに分離することが期待されるが、実際には光分離部の波長透過特性の影響により、光信号Ａ０１〜Ａ０Ｘの波長をクロストークとして全て含む光信号Ａ１１〜Ａ１Ｘとして分離される。
【００４２】
例として、光信号Ａ１ｎは光信号Ａ０ｎと同一の波長の光信号のみ含むことが望ましいが、実際には、光信号Ａ１ｎは他の波長成分（光信号Ａ０１〜Ａ０１−ｎ、Ａ０ｎ＋１〜Ａ０Ｘ）も同時に含む。
【００４３】
しかし従来はクロストークの原因となる透過率Ｃｎｎ以外の波長透過特性を０と仮定して、Ｂ１ｎ＝Ｃｎｎ＊Ｂ０ｎ’と見なしていた。この場合、分離前の光信号Ａ０ｎの光レベルはＢ０ｎの近似値Ｂ０ｎ’＝（１／Ｃｎｎ）＊Ｂ１ｎとして算出されるが、この値は実際の光強度Ｂ０ｎとは誤差が生じる。又、制御部４に与えられる制御目標値も誤った値となる。
【００４４】
本発明では、光分離部１における透過特性を考慮して分離前の光信号Ａ０１〜Ａ０Ｘの光強度Ｂ０１〜Ｂ０Ｘを算出し、この強度Ｂ０１〜Ｂ０Ｘを用いて制御目標値を決定している。このため、分離（分波）前の理想的な光強度Ｂ０１〜Ｂ０Ｘに基づいて多重光信号Ａ００の強度をチャネル毎に補正することができるとともに、正確な制御目標値を算出できる。
【００４５】
又、本発明では、分離後のｎチャネルの光信号Ａ１ｎを補正する場合、分離後の全てのポート１１〜１Ｘから出力される光信号Ａ１１〜Ａ１Ｘの光強度Ｂ１１〜Ｂ１Ｘと、ポート１ｎの波長透過特性Ｃｎ１〜ＣｎＸとを用いて分離前の光強度Ｂ０ｎを計算している。このように本発明では、チャネル間のクロストークの影響を考慮しているため、チャネル間隔が狭く高密度通信を行う場合でも、精度良く分離前の光信号Ａ０１〜Ａ０Ｘの光強度Ｂ０１〜Ｂ０Ｘを再現できるとともに、正確な制御目標値を算出することができる。
【００４６】
以上のように、本発明によれば、精度の高い光強度Ｂ０１〜Ｂ０Ｘを算出し、併せて正確な制御目標値を算出することにより、所望の多重光信号Ａ２０を送信することが可能となる。すなわち、本発明によれば、情報伝達精度（光伝送特性）を向上することが可能となる。
【００４７】
以上、本発明の実施の形態を詳述してきたが、具体的な構成は上記実施の形態に限られるものではなく、本発明の要旨を逸脱しない範囲の変更があっても本発明に含まれる。本実施の形態において制御部４は、光伝送路１０と光伝送路２０との間に設けられたが、これに限らず、光分岐部５の前や、モニタ２１〜２Ｘの前後のいずれかに設けられてもよい。又、本実施の形態において多重光信号Ａ００は、光分岐部５により光分離部１と制御部４に分岐されるが、直接光分離部１に入力されても良い。この場合、制御部４は光分岐部５の前、またはモニタ２１〜２Ｘの前後のいずれかに挿入される。
【００４８】
又、本実施の形態では、多重光信号Ａ００に含まれる全ての波長λ１〜λＸ（チャネル）に対応する分波光（光信号Ａ１１〜Ａ１Ｘ）の強度Ｂ１１〜Ｂ１Ｘと波長透過特性を用いて、分波前の光信号Ａ０１〜Ａ０Ｘの強度Ｂ０１〜Ｂ０Ｘと、多重光信号Ａ００の強度を補正するための制御目標値を算出したがこれに限らない。例えば、チャネル毎（ポート毎）に、当該チャネルに対応する波長（ピーク波長）を中心とした所定の波長範囲の分光波の強度と波長透過特性を用いて、分波前の光強度Ｂ０１〜Ｂ０Ｘと制御目標値を算出してもよい。
【符号の説明】
【００４９】
１  ：光分離部（光分波器）
１１〜１Ｘ、１ｎ：ポート
２１〜２Ｘ、２ｎ：モニタ
３  ：監視部
４  ：制御部
５  ：光分岐部
１０、２０：伝送路
３０：光チャネルモニタ
３１：メモリ
３２：演算処理装置
Ａ００：波長多重光信号
Ａ０１〜Ａ０Ｘ、Ａ１１〜Ａ１Ｘ、Ａ２１〜Ａ２Ｘ：光信号
Ｂ０１〜Ｂ０Ｘ、Ｂ０ｎ、Ｂ１１〜Ｂ１Ｘ、Ｂ１ｎ、Ｂ２１〜Ｂ２Ｘ：光強度
【図１】
2011249943.tif 000013
【図２】
2011249943.tif 000014
【図３】
2011249943.tif 000015
【図４】
2011249943.tif 000016
【図５】
2011249943.tif 000017